(57)【要約】【課題】混合水栓を軽量化することができる。【解決手段】混合水栓は１０、吐出口３３を有する筒体部３０と、筒体部３０の周面から筒体部３０に湯を流入させる給湯管３１と、筒体部３０の周面から筒体部３０に水を流入させる給水管３２とが一体に形成されたボデー２０、及び吐出口３３からの吐止水を切り換える切換弁４０を備える。切換弁４０は、筒体部３０の内部に配置されるとともに水又は湯に接する通水部４２と、筒体部３０の一方側に切換弁４０を操作する切換ハンドル４１を取り付けるための取付部４３と、通水部４２と取付部４３との間に設けられる非通水部４４とを備え、取付部４３及び非通水部４４は、筒体部３０の一方側の端部から突出している。【選択図】図４
2018091053.tif 000002
【特許請求の範囲】
【請求項１】
吐出口を有する筒体部と、前記筒体部の周面から前記筒体部に湯を流入させる給湯管と、前記筒体部の周面から前記筒体部に水を流入させる給水管とが一体に形成されたボデー、及び前記吐出口からの吐止水を切り換える切換弁を備える混合水栓において、
前記切換弁は、前記筒体部の内部に配置されるとともに水又は湯に接する通水部と、前記筒体部の一方側に前記切換弁を操作する切換ハンドルを取り付けるための取付部と、前記通水部と前記取付部との間に設けられる非通水部とを備え、
前記取付部及び前記非通水部は、前記筒体部の一方側の端部から突出していることを特徴とする混合水栓。
【請求項２】
前記筒体部の一方側の端部は、前記給湯管及び前記給水管のうち、前記筒体部の一方側に位置する管における最も前記一方側に位置する部分よりも内側に位置している請求項１に記載の混合水栓。
【請求項３】
前記非通水部は、前記給湯管及び前記給水管のうち、前記筒体部の一方側に位置する管における最も前記一方側に位置する部分よりも一方側に前記取付部が位置する長さに設定されている請求項２に記載の混合水栓。
【請求項４】
前記給湯管及び前記給水管は、一端側が開口するとともに他端側が前記筒体部と一体に構成され、前記筒体部は、一方側に前記取付部を介して前記切換ハンドルが取り付けられるとともに、他方側の端部に前記吐出口から吐出する混合水の温度を調整する温調ハンドルが取り付けられており、
前記非通水部は、前記給湯管及び前記給水管のうち、前記筒体部の他方側に位置する管の一端側の開口中心から前記温調ハンドルの他方側の端部までの長さと、前記給湯管及び前記給水管のうち、前記筒体部の一方側に位置する管の一端側の開口中心から前記切換ハンドルの一方側の端部までの長さとが等しくなる長さに設定されている請求項１〜３のいずれか一項に記載の混合水栓。
【請求項５】
前記ボデー及び前記切換弁を覆うカバーを備える請求項１〜４のいずれか一項に記載の混合水栓。
【発明の詳細な説明】
【技術分野】
【０００１】
本発明は、切換弁を備える混合水栓に関する。
【背景技術】
【０００２】
特許文献１には、図８に示すように、金属製の外ハウジング５１の内部に切替弁ユニット５２が挿入された混合水栓５０について記載されている。外ハウジング５１には、湯を流入させる湯流入用開口５３と、水を流入させる水流入用開口５４と、流出用開口５５とが設けられている。外ハウジング５１の一方側には、切替ハンドル５６が設けられ、他方側には、温調ハンドル５７が設けられている。
【先行技術文献】
【特許文献】
【０００３】
【特許文献１】特開２０１２−２２９７５８号公報
【発明の概要】
【発明が解決しようとする課題】
【０００４】
ところで、特許文献１等の混合水栓には、浴室等に取り付ける際の作業性を向上させるために、さらなる軽量化が求められている。混合水栓全体の重量に大きな影響を与えている部分の一つが金属製のハウジングであり、金属製のハウジングの軽量化が課題としてあげられる。本発明は、こうした実情に鑑みてなされたものであり、その目的は、軽量化を実現した混合水栓を提供することにある。
【課題を解決するための手段】
【０００５】
上記課題を解決するための混合水栓は、吐出口を有する筒体部と、前記筒体部の周面から前記筒体部に湯を流入させる給湯管と、前記筒体部の周面から前記筒体部に水を流入させる給水管とが一体に形成されたボデー、及び前記吐出口からの吐止水を切り換える切換弁を備える混合水栓において、前記切換弁は、前記筒体部の内部に配置されるとともに水又は湯に接する通水部と、前記筒体部の一方側に前記切換弁を操作する切換ハンドルを取り付けるための取付部と、前記通水部と前記取付部との間に設けられる非通水部とを備え、前記取付部及び前記非通水部は、前記筒体部の一方側の端部から突出していることを要旨とする。
【０００６】
この構成によれば、取付部を筒体部の一方側の端部から所定の距離だけ離間させることができる。これにより、横の長さが同じ混合水栓を作る場合、非通水部を備えている分だけ、本願発明の方が従来の構成よりもボデー部分が短くなる。ボデーが短くなることにより、ボデーを軽量化することができる。ボデーは、混合水栓全体の重量に大きな影響を与えている部分の一つであることから、ボデーを軽量化することによって、混合水栓を効果的に軽量化することができる。
【０００７】
上記混合水栓について、前記筒体部の一方側の端部は、前記給湯管及び前記給水管のうち、前記筒体部の一方側に位置する管における最も前記一方側に位置する部分よりも内側に位置していることが好ましい。この構成によれば、筒体部の一方側の端部から、より他方側に近い領域まで筒体部が省略された構成となる。したがって、混合水栓をより軽量化することができる。
【０００８】
上記混合水栓について、前記非通水部は、前記給湯管及び前記給水管のうち、前記筒体部の一方側に位置する管における最も前記一方側に位置する部分よりも一方側に前記取付部が位置する長さに設定されていることが好ましい。この構成によれば、管との干渉を考慮することなく、操作性に重点をおいた形状の切換ハンドルを採用することができる。
【０００９】
上記混合水栓について、前記給湯管及び前記給水管は、一端側が開口するとともに他端側が前記筒体部と一体に構成され、前記筒体部は、一方側に前記取付部を介して前記切換ハンドルが取り付けられるとともに、他方側の端部に前記吐出口から吐出する混合水の温度を調整する温調ハンドルが取り付けられており、前記非通水部は、前記給湯管及び前記給水管のうち、前記筒体部の他方側に位置する管の一端側の開口中心から前記温調ハンドルの他方側の端部までの長さと、前記給湯管及び前記給水管のうち、前記筒体部の一方側に位置する管の一端側の開口中心から前記切換ハンドルの一方側の端部までの長さとが等しくなる長さに設定されていることが好ましい。この構成によれば、筒体部の他方側に位置する管の一端側の開口中心から温調ハンドルの他方側の端部までの長さと、筒体部の一方側に位置する管の一端側の開口中心から切換ハンドルの一方側の端部までの長さとを等しくすることができるため、混合水栓がバランスのとれた形状となる。したがって、全体として従来の混合水栓と同じような寸法にして、混合水栓の外観を良くすることができる。また、従来の混合水栓と同じような寸法にしつつ、筒体部を省略して、混合水栓をより効果的に軽量化することができる。
【００１０】
上記混合水栓について、前記ボデー及び前記切換弁を覆うカバーを備えることが好ましい。この構成によれば、カバーで覆われていることにより、ボデーや切換弁を保護することができる。
【発明の効果】
【００１１】
本発明によれば、混合水栓を軽量化することができる。
【図面の簡単な説明】
【００１２】
【図１】本実施形態の混合水栓の斜視図。
【図２】図１の混合水栓におけるボデーと切換弁の斜視図。
【図３】図１の混合水栓におけるボデーと切換弁の正面図。
【図４】本実施形態の混合水栓の正面図。
【図５】本実施形態の混合水栓の部分断面図。
【図６】変更例の混合水栓の斜視図。
【図７】変更例の混合水栓の正面図。
【図８】従来技術の混合水栓の模式図。
【発明を実施するための形態】
【００１３】
以下、本発明の一実施形態を説明する。
図１、２に示すように、混合水栓１０は、浴室の壁面１１に設置されている。浴室には、壁面１１から突出するように湯用配管１２と水用配管１３とが設けられている。混合水栓１０は、金属製（例えば、銅合金製）のボデー２０を備えている。ボデー２０は、第１の吐出口３３Ａ及び第２の吐出口３３Ｂを有する筒体部３０と、筒体部３０の周面から筒体部３０に湯を流入させる給湯管３１と、筒体部３０の周面から筒体部３０に水を流入させる給水管３２とが一体に形成された鋳造体で構成されている。
【００１４】
図２に示すように、ボデー２０の筒体部３０は、混合水栓１０が壁面１１に設置された状態で、水平方向に延びるように設けられている。筒体部３０の第１の吐出口３３Ａは、混合水栓１０が壁面１１に設置された状態で、筒体部３０から水平方向に吐出するように設けられるとともに、エルボ管１４を介してシャワー用のホースに接続されている。第２の吐出口３３Ｂは、混合水栓１０が壁面１１に設置された状態で、筒体部３０から鉛直方向に吐出するように設けられるとともに、集中吐水用の吐水管１５に接続されている。
【００１５】
給湯管３１及び給水管３２はそれぞれ、一端側が開口するとともに他端側が筒体部３０と一体に構成されている。ボデー２０は、図１に示すように、給湯管３１の一端側が湯用配管１２に接続されるとともに、給水管３２の一端側が水用配管１３に接続されることにより、壁面１１に固定されている。
【００１６】
また、混合水栓１０は、第１の吐出口３３Ａ及び第２の吐出口３３Ｂからの吐止水を切り換える切換弁４０を備えている。筒体部３０の一方側（図面の紙面右側）の端部には、切換弁４０を操作して、混合水の吐止水を切り換える切換ハンドル４１が取り付けられている。筒体部３０の他方側（図面の紙面左側）の端部には、混合水の温度を調節する温調ハンドル２１が取り付けられている。ボデー２０はカバー２２によって覆われており、カバー２２の一方側から切換ハンドル４１が露出しているとともに、カバー２２の他方側から温調ハンドル２１が露出している。
【００１７】
図３、４に示すように、切換弁４０は、筒体部３０の一方側の端部Ｅに設けられた開口部３４に挿入されることによって筒体部３０に取り付けられ、固定具４６によって筒体部３０に固定されている。切換弁４０は、筒体部３０内の流路の切り換えや、吐止水を行う弁体（図示せず）が内部に設けられて水又は湯が接する部分である通水部４２と、切換ハンドル４１が取り付けられる取付部４３と、通水部４２と取付部４３との間に設けられ、取付部４３を筒体部３０の一方側の端部Ｅから離間させる非通水部４４とを備えている。通水部４２と非通水部４４との境界部分にはＯリング４５が配置されており、通水部４２が筒体部３０の内部に配置された状態において、Ｏリング４５が筒体部３０の内側に接触することにより、筒体部３０の内部が水密に封止される。非通水部４４は、一部が筒体部３０の一方側の端部Ｅから外側に突出している。すなわち、切換ハンドル４１は、非通水部４４の長さ分だけ、通水部４２と切換ハンドル４１とが離間した状態となるように構成されている。そして、切換ハンドル４１を操作することにより、弁体を操作することができるように構成されている。切換弁４０の通水部４２、取付部４３及び非通水部４４の材質は特に限定されるものではないが、樹脂製であると軽量で且つ耐久性に優れるため好ましい。
【００１８】
次に、混合水栓１０の内部構造について説明する。
図５に示すように、給水管３２から流入した水は、矢印で示すように、筒体部３０の側面に沿って他方側に向かって流れた後、筒体部３０の他方側に設けられた湯水混合量調整部材４７に流入する。給湯管３１から流入した湯は、筒体部３０の径方向内側に流れた後、湯水混合量調整部材４７に流入する。湯水混合量調整部材４７で水と湯が混合されて混合水が生成され、この混合水が、切換弁４０の通水部４２に流入する。通水部４２の内部に設けられた弁体を通過することにより、混合水は、筒体部３０の径方向外側に延びる第１の吐出口３３Ａ、又は、筒体部３０の径方向外側に延びる第２の吐出口３３Ｂから吐出される。切換ハンドル４１の操作により、吐止水を切り換えることができるとともに、第１、第２の吐出口３３Ａ、３３Ｂへの流路を切り換えることができる。また、温調ハンドル２１の操作により、湯水混合量調整部材４７を操作することができる。したがって、温調ハンドル２１の操作により、湯と水との混合割合を調整して、混合水の温度を調整することができる。
【００１９】
次に、混合水栓１０の各部位の位置関係について説明する。
図４に示すように、給水管３２は、給湯管３１よりも筒体部３０の一方側に位置している。筒体部３０の一方側の端部Ｅは、給水管３２における最も一方側に位置する部分ｅよりも内側に位置している。すなわち、筒体部３０の一方側の端部Ｅは、給水管３２の最も一方側に位置する部分ｅよりも区間Ｈの長さ分だけ、筒体部３０の他方側に窪んだ状態で構成されている。また、非通水部４４は、給水管３２における最も一方側に位置する部分ｅよりも一方側に切換ハンドル４１が位置する長さに設定されている。
【００２０】
非通水部４４は、給湯管３１の一端側の開口の開口中心ｆから温調ハンドル２１の他方側の端部Ｆまでの長さＪと、給水管３２の一端側の開口の開口中心ｇから切換ハンドル４１の一方側の端部Ｇまでの長さＫとが等しくなる長さに設定されている。ここで、区間Ｈ等の長さは、筒体部３０の一方側の端部Ｅ、給水管３２の最も一方側に位置する部分ｅ、給湯管３１の一端側の開口の開口中心ｆ、温調ハンドル２１の他方側の端部Ｆ、給水管３２の一端側の開口の開口中心ｇ、切換ハンドル４１の一方側の端部Ｇから、筒体部３０の径方向に延びる仮想直線を引く。そして、これらの仮想直線を基準とした、筒体部３０の軸方向に沿った距離を意味するものとする。
【００２１】
本実施形態の作用を説明する。
図４に示すように、非通水部４４によって、取付部４３を筒体部３０の一方側の端部Ｅから所定の距離だけ離間させることができる。これにより、横の長さが同じ混合水栓１０を作る場合、非通水部４４を備えている分だけ、従来の構成よりもボデー２０が短くなる。
【００２２】
本実施形態の効果を説明する。
（１）取付部４３及び非通水部４４が、筒体部３０の一方側の端部Ｅから突出していることにより、取付部４３を筒体部３０の一方側の端部Ｅから離間させることができる。これにより、横の長さが同じ従来の混合水栓１０と比べて、ボデー２０を短くすることができるため、ボデー２０を軽量化することができる。したがって、混合水栓１０を効果的に軽量化することができる。また、筒体部３０の一方側の端部Ｅから取付部４３が離間していることにより、例えば、高温の湯を使用している場合に、混合水栓１０における切換ハンドル４１近傍の温度が高くなることが抑制される。また、非通水部４４の長さを調整することにより、切換ハンドル４１を所定の位置に配置することができる。
【００２３】
（２）筒体部３０の一方側の端部Ｅが、給水管３２における最も一方側に位置する部分ｅよりも内側に位置している。これにより、筒体部３０の一方側の端部Ｅから、より他方側に近い領域まで省略された構成となる。したがって、ボデー２０をより軽量化することができる。
【００２４】
（３）非通水部４４は、給水管３２における最も一方側に位置する部分ｅよりも一方側に取付部４３が位置する長さに設定されている。これにより、給水管３２との干渉を考慮することなく、操作性に重点をおいた形状の切換ハンドル４１を採用することができる。
【００２５】
（４）給湯管３１及び給水管３２は、一端側が開口するとともに他端側が筒体部３０と一体に構成される。筒体部３０は、一方側に取付部４３を介して切換ハンドル４１が取り付けられるとともに、他方側の端部Ｉに吐出口３３から吐出する混合水の温度を調整する温調ハンドル２１が取り付けられている。非通水部４４は、給湯管３１の一端側の開口中心ｆから温調ハンドル２１の他方側の端部Ｆまでの長さＪと、給水管３２の一端側の開口中心ｇから切換ハンドル４１の一方側の端部Ｇまでの長さＫとが等しくなる長さに設定されている。これにより、混合水栓１０がバランスのとれた形状となる。したがって、全体として従来の混合水栓と同じような寸法にして、混合水栓１０の外観を良くすることができる。また、従来の混合水栓と同じような寸法にしつつ、筒体部３０を省略して、混合水栓１０をより効果的に軽量化することができる。
【００２６】
（５）ボデー２０及び切換弁４０を覆うカバー２２を備える。この構成によれば、カバー２２で覆われていることにより、ボデー２０や切換弁４０を保護することができる。また、カバー２２に意匠性を付与することにより、混合水栓１０の外観を良くすることができる。
【００２７】
本実施形態は、次のように変更して実施することも可能である。また、上記実施形態の構成や以下の変更例に示す構成を適宜組み合わせて実施することも可能である。
・混合水栓１０はカバー２２を有していなくてもよい。例えば、図６に示すように、ボデー２０が外部に露出した状態であってもよい。非通水部４４の径を部分的に筒体部３０の径と略同じにし、ボデー２０と非通水部４４の表面にメッキを施す等、ボデー２０及び非通水部４４に対して、カバー２２に類似した意匠性を付与した構成としてもよい。
【００２８】
・図７に示すように、非通水部４４は、給水管３２の最も一方側に位置する部分ｅよりも他方側に切換ハンドル４１が位置する長さに設定されていてもよい。切換ハンドル４１の形状を給水管３２に干渉しない形状とすれば、非通水部４４の長さを短くすることができる。これにより、混合水栓１０の軽量化に加えて、小型化することができる。
【００２９】
・本実施形態では、正面から見て右側に切換ハンドル４１が位置する混合水栓１０としたが、正面から見て左側に切換ハンドル４１が位置する混合水栓１０であってもよい。この場合にも、切換ハンドル４１が位置する側が筒体部３０の軸方向の一方側となる。
【００３０】
・本実施形態において、吐出口３３は２つ設けられていたが、吐出口３３は１つでもよいし、３つ以上でもよい。吐出口３３が１つの場合、混合水栓１０は、エルボ管１４と集中吐水用の吐水管１５のいずれか一方が接続される態様となり、切換弁４０は、吐止水のみを切り換える弁として機能する。
【００３１】
・混合水栓１０を構成するボデー２０の材質は金属製に限定されず、樹脂製やセラミック製であってもよい。
・切換ハンドル４１と温調ハンドル２１を、筒体部３０の軸方向のいずれか一方にまとめて配置した構成であってもよい。
【００３２】
・カバー２２は、ボデー２０及び切換弁４０の全てを覆っていなくてもよく、少なくとも一部を覆うものであってもよい。
次に、上記実施形態及び別例から把握できる技術的思想について、以下に記載する。
【００３３】
（イ）カバーを用いることなく、ボデーが外部に露出した状態で用いられる混合水栓。
（ロ）非通水部の長さが、給水管の一方側の端部よりも他方側に切換ハンドルが位置する長さに設定されている混合水栓。
【符号の説明】
【００３４】
１０…混合水栓、２０…ボデー、３０…筒体部、３１…給湯管、３２…給水管、３３…吐出口、４０…切換弁、４１…切換ハンドル、４２…通水部、４３…取付部、４４…非通水部。
【図１】
2018091053.tif 000003
【図２】
2018091053.tif 000004
【図３】
2018091053.tif 000005
【図４】
2018091053.tif 000006
【図５】
2018091053.tif 000007
【図６】
2018091053.tif 000008
【図７】
2018091053.tif 000009
【図８】
2018091053.tif 000010